(57)【要約】【課題】現実の物や情報に、コンピュータネットワーク上の情報を実際に結び付ける端末装置、方法及びシステムを提供すること。【解決手段】端末装置１０は、ユーザから、有体物を識別する情報であって当該有体物に付され、ユーザが視認可能な有体物識別情報を指定して、ウェブページの登録要求を受け付け、ユーザを識別するユーザ識別情報及び指定された有体物識別情報に対して登録要求を受け付けたウェブページのＵＲＬを関連付けて登録するためにサーバに送信する。そして、更に、ユーザから、有体物識別情報を指定して、関連付けて登録されたウェブページの表示要求を受け付け、ユーザ識別情報及び指定された有体物識別情報をサーバに送信してウェブページの送信を要求し、受信したウェブページを表示する。【選択図】図１
2011013918.tif 000002
【特許請求の範囲】
【請求項１】
コンピュータネットワークを介してサーバと通信可能に接続され、ユーザの操作に応じて当該サーバからウェブページを受信して表示する端末装置であって、
前記ユーザから、有体物を識別する情報であって当該有体物に付され、前記ユーザが視認可能な有体物識別情報を指定して、前記ウェブページの登録要求を受け付けるページ登録要求受付手段と、
前記ユーザを識別するユーザ識別情報及び指定された前記有体物識別情報に対して登録要求を受け付けた前記ウェブページのＵＲＬを関連付けて登録するために前記サーバに送信するページ登録要求送信手段と、を備え、
更に、前記ユーザから、前記有体物識別情報を指定して、関連付けて登録された前記ウェブページの表示要求を受け付けるページ表示要求受付手段と、
前記ユーザ識別情報及び指定された前記有体物識別情報を前記サーバに送信して前記ウェブページの送信を要求するページ送信要求送信手段と、を備えることを特徴とする端末装置。
【請求項２】
前記端末装置は、前記有体物識別情報を示す二次元バーコードを撮像して前記有体物識別情報を読み出す撮像手段を更に備えることを特徴とする請求項１に記載の端末装置。
【請求項３】
前記有体物は繰り返し物品に添付可能な糊の付されたものであることを特徴とする請求項１又は請求項２のいずれかに記載の端末装置。
【請求項４】
前記ページ登録要求受付手段は、前記ウェブページのメタタグが示す情報を前記サーバから受信して表示し、
前記ページ登録要求送信手段は、前記メタタグが示す情報を更に関連付けて登録するために前記サーバに送信することを特徴とする請求項１から請求項３のいずれかに記載の端末装置。
【請求項５】
前記ページ登録要求受付手段は、前記ユーザから前記有体物識別情報の指定を受け付けたことに応じて、当該ユーザ識別情報及び当該有体物識別情報を前記サーバに送信し、当該ユーザ識別情報及び当該有体物識別情報に関連付けて登録された既存のウェブページのＵＲＬが存在する場合に、当該ウェブページのＵＲＬ或いはメタタグが示す情報を前記サーバから受信して表示し、前記ユーザから当該既存のウェブページの削除要求を受け付け、
前記ページ登録要求送信手段は、前記削除要求を受け付けた当該既存のウェブページのＵＲＬの登録を削除するために前記サーバに更に送信することを特徴とする請求項４に記載の端末装置。
【請求項６】
コンピュータネットワークを介してサーバと通信可能に接続された端末装置が、ユーザの操作に応じて当該サーバからウェブページを受信して表示する方法であって、
前記ユーザから、有体物を識別する情報であって当該有体物に付され、前記ユーザが視認可能な有体物識別情報を指定して、前記ウェブページの登録要求を受け付けるステップと、
前記ユーザを識別するユーザ識別情報及び指定された前記有体物識別情報に対して登録要求を受け付けた前記ウェブページのＵＲＬを関連付けて登録するために前記サーバに送信するステップと、を備え、
更に、前記ユーザから、前記有体物識別情報を指定して、関連付けて登録された前記ウェブページの表示要求を受け付けるステップと、
前記ユーザ識別情報及び指定された前記有体物識別情報を前記サーバに送信して前記ウェブページの送信を要求するステップと、を備えることを特徴とする方法。
【請求項７】
コンピュータネットワークを介してサーバと通信可能に接続された端末装置が、ユーザの操作に応じて当該サーバからウェブページを受信して表示するシステムであって、
前記端末装置は、
前記ユーザから、有体物を識別する情報であって当該有体物に付され、前記ユーザが視認可能な有体物識別情報を指定して、前記ウェブページの登録要求を受け付けるページ登録要求受付手段と、
前記ユーザを識別するユーザ識別情報及び指定された前記有体物識別情報に対して登録要求を受け付けた前記ウェブページのＵＲＬを関連付けて登録するために前記サーバに送信するページ登録要求送信手段と、を備え、
更に、前記ユーザから、前記有体物識別情報を指定して、関連付けて登録された前記ウェブページの表示要求を受け付けるページ表示要求受付手段と、
前記ユーザ識別情報及び指定された前記有体物識別情報を前記サーバに送信して前記ウェブページの送信を要求するページ送信要求送信手段と、を備え、
前記サーバは、
前記ページ登録要求送信手段によって送信された前記ユーザ識別情報及び前記有体物識別情報に対して前記ウェブページのＵＲＬを関連付けて、登録ページ記憶手段に登録するページ情報登録手段と、
前記ページ送信要求送信手段によって送信された前記ユーザ識別情報及び前記有体物識別情報による要求を受け付けて、前記登録ページ記憶手段に基づいて、前記ユーザ識別情報及び前記有体物識別情報に関連付けられた前記ウェブページのＵＲＬを取得するページ情報要求受付手段と、
前記ページ情報要求受付手段が取得した前記ウェブページのＵＲＬを前記端末装置に送信するページ情報送信手段と、を備える、
ことを特徴とするシステム。
【発明の詳細な説明】
【技術分野】
【０００１】
本発明は、ウェブページを表示する端末装置、方法、及びシステムに関する。
【背景技術】
【０００２】
近年、インターネットの普及により、インターネット上にはユーザがアップロードした多種多様の大量の情報が蓄積されている。そして、これらの蓄積された情報を容易に利用することができるように、ユーザの携帯電話等にダウンロードさせるサービスが提供されている。
【０００３】
このようなインターネット上の情報をダウンロードして容易に配信することができるようにするための技術として特許文献１が知られている。
【０００４】
特許文献１に記載された発明は、動画データを配信するに当たってユーザ登録及び動画のアップロード・ダウンロードを容易に行うことのできる動画配信システムを提供することを課題としている。この特許文献１に記載された動画配信システムによれば、ユーザは予め動画配信システムのｗｅｂアドレス、及びデータベースに登録されたユーザＩＤが記録された複数の２次元バーコードシールの組を入手して動画配信システムにアクセスし、動画データを登録することができる。ユーザは複数用意された２次元バーコードシールをメモ帳や名刺やノート等さまざまな場所に貼付することができ、ユーザ及びその知人等はシールの表面を撮像するのみでユーザのアップした動画データをダウンロードすることができる。
【先行技術文献】
【特許文献】
【０００５】
【特許文献１】特開２００７−１７４２２７号公報
【発明の概要】
【発明が解決しようとする課題】
【０００６】
しかしながら、特許文献１に記載された発明は、ウェブアドレスと、ユーザＩＤ及び２次元バーコードとの組が予め登録されている２次元バーコードシールを撮像するという、容易な操作で動画データをダウンロードすることができるだけである。その２次元バーコードシールをメモ帳や名刺やノート等さまざまな場所に貼付しても、メモ帳や名刺やノート等さまざまな場所の情報等と、動画データとを結び付けているわけではない。例えば、特許文献１に記載された発明では、ユーザが結びつけたいと思うウェブページを登録することができないので、ユーザが記載したノートの内容と、ユーザが結びつけたいと思うウェブページとを容易に結びつけることはできない。
【０００７】
そこで、現実の物や情報に、コンピュータネットワーク上の情報を実際に結び付けることができる端末装置が望まれている。
【０００８】
本発明は、現実の物や情報に、コンピュータネットワーク上の情報を実際に結び付けることができる端末装置、方法及びシステムを提供することを目的とする。
【課題を解決するための手段】
【０００９】
本発明では、以下のような解決手段を提供する。
【００１０】
（１）  コンピュータネットワークを介してサーバと通信可能に接続され、ユーザの操作に応じて当該サーバからウェブページを受信して表示する端末装置であって、前記ユーザから、有体物を識別する情報であって当該有体物に付され、前記ユーザが視認可能な有体物識別情報を指定して、前記ウェブページの登録要求を受け付けるページ登録要求受付手段と、前記ユーザを識別するユーザ識別情報及び指定された前記有体物識別情報に対して登録要求を受け付けた前記ウェブページのＵＲＬを関連付けて登録するために前記サーバに送信するページ登録要求送信手段と、を備え、更に、前記ユーザから、前記有体物識別情報を指定して、関連付けて登録された前記ウェブページの表示要求を受け付けるページ表示要求受付手段と、前記ユーザ識別情報及び指定された前記有体物識別情報を前記サーバに送信して前記ウェブページの送信を要求するページ送信要求送信手段と、を備えることを特徴とする端末装置。
【００１１】
（１）の構成によれば、本発明に係る端末装置は、コンピュータネットワークを介してサーバと通信可能に接続され、ユーザの操作に応じて当該サーバからウェブページを受信して表示する端末装置であって、ユーザから、有体物を識別する情報であって当該有体物に付され、ユーザが視認可能な有体物識別情報を指定して、ウェブページの登録要求を受け付け、ユーザを識別するユーザ識別情報及び指定された有体物識別情報に対して登録要求を受け付けたウェブページのＵＲＬ（Ｕｎｉｆｏｒｍ  Ｒｅｓｏｕｒｃｅ  Ｌｏｃａｔｏｒ）を関連付けて登録するためにサーバに送信する。そして、更に、ユーザから、有体物識別情報を指定して、関連付けて登録されたウェブページの表示要求を受け付け、ユーザ識別情報及び指定された有体物識別情報をサーバに送信してウェブページの送信を要求する。
【００１２】
すなわち、本発明に係る端末装置は、ユーザから、ウェブページの登録要求を受け付けてサーバに送信し、ユーザ識別情報及び指定された有体物識別情報に対して登録要求を受け付けたウェブページのＵＲＬを関連付けて登録させる。そして、ユーザから、ウェブページの表示要求を受け付けてサーバに送信し、ユーザ識別情報及び指定された有体物識別情報に関連付けられたウェブページを受信して表示する。この有体物識別情報は有体物に付され、ユーザが視認可能である。したがって、本発明に係る端末装置は、ユーザによって用いられる、有体物識別情報が付された有体物によって、現実の物や情報に、コンピュータネットワーク上の情報を実際に結び付けることができる。
【００１３】
（２）  前記端末装置は、前記有体物識別情報を示す二次元バーコードを撮像して前記有体物識別情報を読み出す撮像手段を更に備えることを特徴とする（１）に記載の端末装置。
【００１４】
（２）の構成によれば、（１）に記載された端末装置は、有体物識別情報を示す二次元バーコードを撮像して有体物識別情報を読み出す。すなわち、本発明に係る端末装置は、ユーザから指定された二次元バーコードに関連付けられたウェブページを表示することができる。したがって、本発明に係る端末装置は、ユーザによって用いられる、二次元バーコードが付された有体物によって容易に、現実の物や情報に、コンピュータネットワーク上の情報を実際に結び付けることができる。
【００１５】
（３）  前記有体物は繰り返し物品に添付可能な糊の付されたものであることを特徴とする（１）又は（２）のいずれかに記載の端末装置。
【００１６】
（３）の構成によれば、（１）又は（２）のいずれかに記載された端末装置において、有体物は繰り返し物品に添付可能な糊の付されたものである。したがって、本発明に係る端末装置は、ユーザによって用いられる、有体物識別情報が付された、繰り返し物品に添付可能な有体物によって、現実の物や情報に、コンピュータネットワーク上の情報を実際に結び付けることができる。そして、有体物は、繰り返し物品に添付可能な糊が付され、例えば、一の物品に貼付後に剥がして別の物品に貼付可能であるので、本発明に係る端末装置は、現実の物や情報が移っても容易に、コンピュータネットワーク上の情報を実際に結び付けることができる。
【００１７】
（４）  前記ページ登録要求受付手段は、前記ウェブページのメタタグが示す情報を前記サーバから受信して表示し、前記ページ登録要求送信手段は、前記メタタグが示す情報を更に関連付けて登録するために前記サーバに送信することを特徴とする（１）から（３）のいずれかに記載の端末装置。
【００１８】
（４）の構成によれば、（１）から（３）のいずれかに記載された端末装置は、ウェブページのメタタグが示す情報をサーバから受信して表示し、ユーザ識別情報及び指定された有体物識別情報に対して関連付けたウェブページのＵＲＬに、メタタグが示す情報を更に関連付けて登録するためにサーバに送信する。したがって、本発明に係る端末装置は、ユーザ識別情報及び有体物識別情報に対して関連付けたウェブページのＵＲＬに、ウェブページのメタタグが示す情報を直接、関連付けることができる。
【００１９】
（５）  前記ページ登録要求受付手段は、前記ユーザから前記有体物識別情報の指定を受け付けたことに応じて、当該ユーザ識別情報及び当該有体物識別情報を前記サーバに送信し、当該ユーザ識別情報及び当該有体物識別情報に関連付けて登録された既存のウェブページのＵＲＬが存在する場合に、当該ウェブページのＵＲＬ或いはメタタグが示す情報を前記サーバから受信して表示し、前記ユーザから当該既存のウェブページの削除要求を受け付け、前記ページ登録要求送信手段は、前記削除要求を受け付けた当該既存のウェブページのＵＲＬの登録を削除するために前記サーバに更に送信することを特徴とする（４）に記載の端末装置。
【００２０】
（５）の構成によれば、（４）に記載された端末装置は、ユーザから有体物識別情報の指定を受け付けたことに応じて、当該ユーザ識別情報及び当該有体物識別情報をサーバに送信し、当該ユーザ識別情報及び当該有体物識別情報に関連付けて登録された既存のウェブページのＵＲＬが存在する場合に、当該ウェブページのＵＲＬ或いはメタタグが示す情報をサーバから受信して表示し、ユーザから当該既存のウェブページの削除要求を受け付け、削除要求を受け付けた当該既存のウェブページのＵＲＬの登録を削除するためにサーバに更に送信する。
【００２１】
すなわち、本発明に係る端末装置は、ユーザ識別情報及び当該有体物識別情報に関連付けて登録された既存のウェブページのＵＲＬの削除要求を受け付けて、登録を削除する。したがって、本発明に係る端末装置は、既存のウェブページのＵＲＬの登録を削除できるので、例えば不要となった登録を削除することにより、有限である有体物識別情報であっても重複することなく、ウェブページのＵＲＬと有体物識別情報とを関連付けて登録することができる。
【００２２】
（６）  コンピュータネットワークを介してサーバと通信可能に接続された端末装置が、ユーザの操作に応じて当該サーバからウェブページを受信して表示する方法であって、前記ユーザから、有体物を識別する情報であって当該有体物に付され、前記ユーザが視認可能な有体物識別情報を指定して、前記ウェブページの登録要求を受け付けるステップと、前記ユーザを識別するユーザ識別情報及び指定された前記有体物識別情報に対して登録要求を受け付けた前記ウェブページのＵＲＬを関連付けて登録するために前記サーバに送信するステップと、を備え、更に、前記ユーザから、前記有体物識別情報を指定して、関連付けて登録された前記ウェブページの表示要求を受け付けるステップと、前記ユーザ識別情報及び指定された前記有体物識別情報を前記サーバに送信して前記ウェブページの送信を要求するステップと、を備えることを特徴とする方法。
【００２３】
（６）の構成によれば、本発明に係る方法は、コンピュータネットワークを介してサーバと通信可能に接続された端末装置が、ユーザの操作に応じて当該サーバからウェブページを受信して表示する方法であって、ユーザから、有体物を識別する情報であって当該有体物に付され、前記ユーザが視認可能な有体物識別情報を指定して、ウェブページの登録要求を受け付け、ユーザを識別するユーザ識別情報及び指定された有体物識別情報に対して登録要求を受け付けたウェブページのＵＲＬを関連付けて登録するためにサーバに送信し、更に、ユーザから、有体物識別情報を指定して、関連付けて登録されたウェブページの表示要求を受け付け、ユーザ識別情報及び指定された有体物識別情報をサーバに送信してウェブページの送信を要求する。したがって、本発明に係る方法は、ユーザによって用いられる、有体物識別情報が付された有体物によって、現実の物や情報に、コンピュータネットワーク上の情報を実際に結び付けることができる。
【００２４】
（７）  コンピュータネットワークを介してサーバと通信可能に接続された端末装置が、ユーザの操作に応じて当該サーバからウェブページを受信して表示するシステムであって、前記端末装置は、前記ユーザから、有体物を識別する情報であって当該有体物に付され、前記ユーザが視認可能な有体物識別情報を指定して、前記ウェブページの登録要求を受け付けるページ登録要求受付手段と、前記ユーザを識別するユーザ識別情報及び指定された前記有体物識別情報に対して登録要求を受け付けた前記ウェブページのＵＲＬを関連付けて登録するために前記サーバに送信するページ登録要求送信手段と、を備え、更に、前記ユーザから、前記有体物識別情報を指定して、関連付けて登録された前記ウェブページの表示要求を受け付けるページ表示要求受付手段と、前記ユーザ識別情報及び指定された前記有体物識別情報を前記サーバに送信して前記ウェブページの送信を要求するページ送信要求送信手段と、を備え、前記サーバは、前記ページ登録要求送信手段が送信した前記ユーザ識別情報及び前記有体物識別情報に対して前記ウェブページのＵＲＬを関連付けて、登録ページ記憶手段に登録するページ情報登録手段と、前記ページ送信要求送信手段が送信した前記ユーザ識別情報及び前記有体物識別情報による要求を受け付けて、前記登録ページ記憶手段に基づいて、前記ユーザ識別情報及び前記有体物識別情報に関連付けられた前記ウェブページのＵＲＬを取得するページ情報要求受付手段と、前記ページ情報要求受付手段が取得した前記ウェブページのＵＲＬを前記端末装置に送信するページ情報送信手段と、を備える、ことを特徴とするシステム。
【００２５】
（７）の構成によれば、本発明に係るシステムは、コンピュータネットワークを介してサーバと通信可能に接続された端末装置が、ユーザの操作に応じて当該サーバからウェブページを受信して表示するシステムであって、端末装置は、ユーザから、有体物を識別する情報であって当該有体物に付され、ユーザが視認可能な有体物識別情報を指定して、ウェブページの登録要求を受け付け、ユーザを識別するユーザ識別情報及び指定された有体物識別情報に対して登録要求を受け付けたウェブページのＵＲＬを関連付けて登録するためにサーバに送信し、更に、ユーザから、有体物識別情報を指定して、関連付けて登録されたウェブページの表示要求を受け付け、ユーザ識別情報及び指定された有体物識別情報をサーバに送信してウェブページの送信を要求し、サーバは、送信されたユーザ識別情報及び有体物識別情報に対してウェブページのＵＲＬを関連付けて、登録ページ記憶手段に登録し、送信されたユーザ識別情報及び有体物識別情報による要求を受け付けて、登録ページ記憶手段に基づいて、ユーザ識別情報及び有体物識別情報に関連付けられたウェブページのＵＲＬを取得し、取得したウェブページのＵＲＬを端末装置に送信する。したがって、本発明に係るシステムは、ユーザによって用いられる、有体物識別情報が付された有体物によって、現実の物や情報に、コンピュータネットワーク上の情報を実際に結び付けることができる。
【発明の効果】
【００２６】
本発明によれば、現実の物や情報に、コンピュータネットワーク上の情報を実際に結び付ける端末装置、方法及びシステムを提供することができる。
【図面の簡単な説明】
【００２７】
【図１】本発明の一実施形態に係る端末装置１０の特徴を示すブロック図である。
【図２】本発明の一実施形態に係る端末装置１０の機能構成と、ページ登録装置２０の機能構成とを示す機能ブロック図である。
【図３】本発明の一実施形態に係る端末装置１０のハードウェア構成の一例を示す図である。
【図４】本発明の一実施形態に係るページ登録装置２０の登録ページＤＢ３１の一例を示す図である。
【図５】本発明の一実施形態に係る端末装置１０のページ登録の処理内容を示すフローチャートである。
【図６】本発明の一実施形態に係る端末装置１０のページ要求の処理内容を示すフローチャートである。
【図７】本発明の一実施形態に係る端末装置１０の有体物ＩＤの利用の一例を示す図である。
【図８】本発明の一実施形態に係る端末装置１０の有体物ＩＤの別の利用の一例を示す図である。
【図９】本発明の一実施形態に係る端末装置１０の表示例を示す図である。
【図１０】本発明の一実施形態に係る端末装置１０の別の表示例を示す図である。
【発明を実施するための形態】
【００２８】
以下、本発明の実施形態について図を参照しながら説明する。
【００２９】
図１は、本発明の一実施形態に係る端末装置１０の特徴を示すブロック図である。端末装置１０は、コンピュータネットワークを介してサーバであるページ登録装置２０と通信可能に接続され、ユーザの操作に応じてページ登録装置２０からウェブページを受信して表示する端末装置１０であって、ページ登録要求受付手段としてページ登録要求受付部１１と、ページ登録要求送信手段としてページ登録要求送信部１２と、ページ表示要求受付手段としてページ表示要求受付部１３と、ページ送信要求送信手段としてページ送信要求送信部１４と、表示部１５とを備える。
【００３０】
ページ登録要求受付部１１は、ユーザから、有体物を識別する情報であって当該有体物に付され、ユーザが視認可能な有体物識別情報を指定して、ウェブページの登録要求を受け付ける。
【００３１】
ここで、有体物は、例えば、付箋でもよいし、ノートそのものでもよい。すなわち、有体物は、付箋のように物に繰り返し貼り付けられるようなものや、付箋が付されるノートそのものも含む。有体物識別情報は、有体物を識別する有体物ＩＤ、例えば有体物である付箋やノート等を識別するために印刷されたシリアル番号、であって、コード化（例えば、一次元バーコードや、二次元バーコード等）されていてもよいし、光学文字認識（ＯＣＲ：Ｏｐｔｉｃａｌ  Ｃｈａｒａｃｔｅｒ  Ｒｅｃｏｇｎｉｔｉｏｎ）によってコンピュータが認識できる文字のようにコード化されていなくてもよい。
【００３２】
視認可能とは、ユーザが有体物識別情報を用いることができるように、例えば、シリアル番号がユーザに直接分かるように印刷されていることをいい、有体物識別情報がコード化され直接には分からない場合にはコードの傍に直接分かるように印刷されている場合をいう。
【００３３】
有体物識別情報の指定は、有体物識別情報をユーザが入力（例えば、キー入力等）してもよいし、有体物識別情報をリーダ装置（例えば、二次元バーコードリーダや、ＯＣＲ：Ｏｐｔｉｃａｌ  Ｃｈａｒａｃｔｅｒ  Ｒｅａｄｅｒ）等によって読み込んでもよい。
【００３４】
ウェブページの登録要求は、登録を要求するウェブページのＵＲＬを入力した状態や、登録を要求するウェブページを表示させた状態で、有体物識別情報をユーザが入力することや、有体物識別情報をリーダ装置等によって読み込むことによって受け付けられる。或いは、ウェブページの登録要求は、有体物識別情報をユーザが入力した状態や、有体物識別情報をリーダ装置等によって読み込んだ状態で、登録を要求するウェブページのＵＲＬを入力することや、登録を要求するウェブページを表示させることによって受け付けられる。
【００３５】
ページ登録要求送信部１２は、ユーザを識別するユーザ識別情報及び指定された有体物識別情報に対して登録要求を受け付けたウェブページのＵＲＬを関連付けて登録するためにページ登録装置２０に送信する。ここで、ユーザ識別情報は、例えばユーザを識別するユーザＩＤであって、予め別システムにおいて発行されていて、端末装置１０は発行した別システムから受信し、記憶している。そして、ページ登録要求送信部１２から受信したページ登録装置２０は、ユーザ識別情報及び指定された有体物識別情報と、ウェブページのＵＲＬとを関連付けて、例えば登録ページＤＢ３１（Ｄａｔａｂａｓｅ）に登録している（後述する図４参照）。
【００３６】
ページ表示要求受付部１３は、ユーザから、有体物識別情報を指定して、関連付けて登録されたウェブページの表示要求を受け付ける。有体物識別情報の指定は、ページ登録要求の受け付けの場合と同様に、有体物識別情報をユーザが入力してもよいし、有体物識別情報を撮像装置等によって読み込んでもよい。
【００３７】
ページ送信要求送信部１４は、ユーザ識別情報及び指定された有体物識別情報をページ登録装置２０に送信してウェブページの送信を要求する。そして、要求を受信したページ登録装置２０は、ユーザ識別情報及び指定された有体物識別情報に関連付けたウェブページのＵＲＬを端末装置１０に送信する。
【００３８】
表示部１５は、ページ登録装置２０から受信したウェブページのＵＲＬに基づいてウェブページを表示する。ウェブページの表示は、受信したＵＲＬによってリダイレクトすることにより行う。すなわち、リダイレクト情報であるウェブページのＵＲＬを受信した端末装置１０のブラウザーは、リダイレクト先であるＵＲＬのサーバに対してリクエストし、ＵＲＬのサーバからレスポンスを受信して、ＵＲＬが示すウェブページを表示する。
【００３９】
図２は、本発明の一実施形態に係る端末装置１０の機能構成と、ページ登録装置２０の機能構成とを示す機能ブロック図である。
【００４０】
端末装置１０は、図１の特徴に加えて、撮像手段として撮像部１６を備える。
【００４１】
撮像部１６は、有体物識別情報を示す二次元バーコードを撮像して有体物識別情報を読み出す。例えば、撮像部１６は、カメラ部２５００（後述する図３参照）によって、付箋やノート等に付された二次元バーコードを撮像し、撮像した二次元バーコードに含まれる文字や記号等を認識し、例えば、シリアル番号を読み出す。
【００４２】
ここで、特に、有体物は繰り返し物品に添付可能な糊の付されたものであるとする。例えば、ユーザは、剥がしやすい糊を利用した付箋であって、シリアル番号を二次元バーコード化して印刷した付箋を、ノートの記載した箇所に貼付する。その付箋に印刷されたシリアル番号は、ページ登録要求受付部１１によって受け付けたウェブページのＵＲＬと、ユーザＩＤとに関連付けて登録されている。そして、その貼付された付箋のシリアル番号を撮像部１６が読み出し、読み出したシリアル番号と、ユーザＩＤとをページ表示要求受付部１３が受け付け、ページ送信要求送信部１４はページ登録装置２０に送信してウェブページの送信を要求し、ページ登録装置２０からウェブページのＵＲＬを受信した端末装置１０は、ウェブページを表示する。そして、剥がしやすい糊を利用した付箋は、繰り返し物品に添付可能であるので、付箋を添付した物を交換する場合や、付箋を添付したノート等の情報を別のノート等に移しても、付箋を貼付し直すだけで、端末装置１０は、貼付し直した付箋に付された有体物ＩＤに対応するウェブページを容易に表示することができる。
【００４３】
ページ登録要求受付部１１は、更に、ウェブページのメタタグが示す情報をページ登録装置２０から受信して表示する。そして、ページ登録要求送信部１２は、メタタグが示す情報を更に関連付けて登録するためにページ登録装置２０に送信する。すなわち、ウェブページのメタタグを有体物識別情報と関連付けて登録する。このことによって、有体物識別情報と、ウェブページのメタタグとが直接関連付けられるので、有体物識別情報に関連付けられたＵＲＬが示すウェブページのメタタグを、端末装置１０は、有体物識別情報及びＵＲＬの表示と共に表示させることができ、ユーザはＵＲＬが示すウェブページのメモとして利用することができる。
【００４４】
更に、ページ登録要求受付部１１は、ユーザから有体物識別情報の指定を受け付けたことに応じて、当該ユーザ識別情報及び当該有体物識別情報をページ登録装置２０に送信し、当該ユーザ識別情報及び当該有体物識別情報に関連付けて登録された既存のウェブページのＵＲＬが存在する場合に、当該ウェブページのＵＲＬ或いはメタタグが示す情報をページ登録装置２０から受信して表示し、ユーザから当該既存のウェブページの削除要求を受け付ける。ページ登録要求送信部１２は、削除要求を受け付けた当該既存のウェブページのＵＲＬの登録を削除するためにページ登録装置２０に更に送信する。すなわち、端末装置１０は、ユーザ識別情報及び有体物識別情報に関連付けて登録された既存のウェブページのＵＲＬ或いはメタタグが示す情報を表示し、ユーザの要求によって、不要となったウェブページのＵＲＬの登録を削除することができる。
【００４５】
ユーザ識別情報及び有体物識別情報に関連付けて登録されたウェブページのＵＲＬが存在する場合に、削除要求を受け付けて既存のＵＲＬを削除するか、既存のＵＲＬを新たなＵＲＬに自動的に置換するか、を設定することができるとしてもよい。なお、ユーザ識別情報及び有体物識別情報に関連付けて登録されたウェブページのＵＲＬが複数存在する場合には、表示部１５は、ページ登録装置２０から複数のＵＲＬを受信し、受信したＵＲＬの中から、メタタグを参照したユーザによって選択されたＵＲＬが示すウェブページを表示するとしてもよい。
【００４６】
ページ登録装置２０は、ページ情報登録部２１と、ページ情報要求受付部２２と、ページ情報送信部２３と、を備える。
【００４７】
ページ情報登録部２１は、端末装置１０によって送信されたユーザ識別情報及び有体物識別情報に対してウェブページのＵＲＬを関連付けて、登録ページＤＢ（Ｄａｔａｂａｓｅ）３１に登録する。すなわち、ページ情報登録部２１は、端末装置１０からユーザ識別情報と、有体物識別情報と、ウェブページのＵＲＬと、を受信し、ユーザ識別情報及び有体物識別情報に、ウェブページのＵＲＬを関連付けて、登録ページＤＢ３１に記憶する（後述する図４参照）。
【００４８】
ページ情報要求受付部２２は、端末装置１０によって送信されたユーザ識別情報及び有体物識別情報による要求を受け付けて、登録ページＤＢ３１に基づいて、ユーザ識別情報及び有体物識別情報に関連付けられたウェブページのＵＲＬを取得する。すなわち、ページ情報要求受付部２２は、端末装置１０からユーザ識別情報及び有体物識別情報を受信して、ウェブページの送信要求を受け付け、送信要求されたウェブページのＵＲＬを取得する。
【００４９】
ページ情報送信部２３は、ページ情報要求受付部２２が取得したウェブページのＵＲＬを端末装置１０に送信する。
【００５０】
図３は、本発明の一実施形態に係る端末装置１０のハードウェア構成の一例を示す図である。
【００５１】
図３に示すように、端末装置１０は、ＣＰＵ（Ｃｅｎｔｒａｌ  Ｐｒｏｃｅｓｓｉｎｇ  Ｕｎｉｔ）２０１１、メモリ２０１２、操作部２０１３、表示部２０１４、補助記憶部２０１５、ネットワーク通信Ｉ／Ｆ２０４０、、及びカメラ部２５００がバスラインＢＵＳにより接続されて構成されている。
【００５２】
ＣＰＵ２０１１は、端末装置１０を統括的に制御する部分であり、メモリ２０１２に記憶された各種プログラムを適宜読み出して実行することにより、上述したハードウェアと協働し、本発明に係る各種機能を実現している。
【００５３】
操作部２０１３は、各種設定や入力操作を行う操作ボタン群等を備えており、操作部２０１３による入力情報はＣＰＵ２０１１の制御下で処理される。すなわち、ユーザは、操作部２０１３を介して、ページ登録要求受付操作や、ページ表示要求受付操作等が可能である。表示部２０１４は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、ウェブページや各種情報を表示する。
【００５４】
補助記憶部２０１５は、フラッシュメモリ等により構成され、端末装置１０が機能するための各種プログラム及び本発明の機能を実行するプログラムを記憶しており、更に、本発明の処理に伴う各種データを記憶する。
【００５５】
ネットワーク通信Ｉ／Ｆ２０４０は、端末装置１０を専用ネットワーク又は公共ネットワークを介してサーバ等と接続できるようにするためのネットワーク・アダプタである。例えば、ネットワーク通信Ｉ／Ｆ２０４０を介して、ページ登録装置２０との送信及び受信をすることができる。
【００５６】
カメラ部２５００は、二次元バーコードを撮像する。カメラ部２５００は、撮像した二次元バーコードをデジタル化し、撮像部１６は二次元バーコードに含まれる文字や記号等を認識し、シリアル番号を読み出す。
【００５７】
なお、端末装置１０は、いわゆる携帯端末であるが、例えば、二次元バーコードを読み取り、インターネットと接続可能な携帯電話や、携帯情報端末ＰＤＡ（Ｐｅｒｓｏｎａｌ  Ｄｉｇｉｔａｌ  Ａｓｓｉｓｔａｎｔ）として実現してもよいし、二次元バーコードリーダを備えた据え置き型端末として実現してもよい。
【００５８】
図４は、本発明の一実施形態に係るページ登録装置２０の登録ページＤＢ３１の一例を示す図である。
【００５９】
ページ登録装置２０の登録ページＤＢ３１は、ユーザの識別情報であるユーザＩＤと、有体物ＩＤであるシリアル番号と、ウェブページのメタタグと、ウェブページのＵＲＬとを対応付けて記憶している。ページ登録装置２０は、登録ページＤＢ３１に基づいて、受信したユーザＩＤ及びシリアル番号によって検索し、検索したユーザＩＤ及びシリアル番号に関連付けられたウェブページのメタタグ及びウェブページのＵＲＬを取得することができる。
【００６０】
図５は、本発明の一実施形態に係る端末装置１０のページ登録の処理内容を示すフローチャートである。なお、本処理は、例えば、プログラム開始指令を受け付けて開始し、プログラムの終了により終了する。
【００６１】
ステップＳ１０１において、ＣＰＵ２０１１は、ウェブページのＵＲＬを受け付ける。より具体的には、ＣＰＵ２０１１は、ユーザによって指定されたウェブページのＵＲＬを記憶する。ウェブページのＵＲＬの指定は、ＵＲＬを直接入力することによって指定する場合や、ウェブ検索等によりリンクされたウェブページを表示させることによって指定する場合等がある。その後、ＣＰＵ２０１１は、処理をステップＳ１０２に移す。
【００６２】
ステップＳ１０２において、ＣＰＵ２０１１は、有体物ＩＤを受け付ける。より具体的には、ＣＰＵ２０１１は、カメラ部２５００によって撮像された二次元バーコードに含まれる文字や記号等を認識し、例えば、シリアル番号を読み出し、記憶する。その後、ＣＰＵ２０１１は、処理をステップＳ１０３に移す。
【００６３】
ステップＳ１０３において、ＣＰＵ２０１１は、ユーザＩＤと、有体物ＩＤと、ＵＲＬとをページ登録装置２０に送信する。より具体的には、ＣＰＵ２０１１は、ステップＳ１０１で記憶したＵＲＬ、及びステップＳ１０２で記憶したシリアル番号と、予め記憶しているユーザＩＤとを登録するためにページ登録装置２０に送信する。その後、ＣＰＵ２０１１は、処理をステップＳ１０４に移す。
【００６４】
ステップＳ１０４において、ＣＰＵ２０１１は、ページ登録装置２０から既登録情報と、ウェブページのメタタグが示す情報とを受信する。より具体的には、ＣＰＵ２０１１は、シリアル番号が既に登録されているか否かを示す既登録情報と、ＵＲＬによって示されるウェブページのメタタグが示す情報と、をページ登録装置２０から受信する。その後、ＣＰＵ２０１１は、処理をステップＳ１０５に移す。
【００６５】
ステップＳ１０５において、ＣＰＵ２０１１は、ページ登録装置２０から受信したウェブページのメタタグが示す情報を表示する。より具体的には、ＣＰＵ２０１１は、シリアル番号と、受信したＵＲＬ及びメタタグが示す情報と、を表示する。その後、ＣＰＵ２０１１は、処理をステップＳ１０６に移す。
【００６６】
ステップＳ１０６において、ＣＰＵ２０１１は、ウェブページは既に登録されているか否かを判断する。すなわち、ＣＰＵ２０１１は、ページ登録装置２０から受信した既登録情報が、既に登録されていることを示す情報か否かを判断する。この判断がＹＥＳの場合は、処理をステップＳ１０７に移し、ＮＯの場合は処理をステップＳ１１０に移す。
【００６７】
ステップＳ１０７において、ＣＰＵ２０１１は、既存ウェブページの削除か否かを判断する。すなわち、ＣＰＵ２０１１は、ページ登録装置２０から受信した既登録情報を表示部２０１４に表示した後に、ユーザからの操作を入力し、入力した操作が既存ウェブページの削除要求を示す操作か否かを判断する。この判断がＹＥＳの場合は、処理をステップＳ１０８に移し、ＮＯの場合は処理をステップＳ１１０に移す。
【００６８】
ステップＳ１０８において、ＣＰＵ２０１１は、削除を受け付ける。より具体的には、ＣＰＵ２０１１は、表示している既登録情報において、シーケンス番号に対して既に登録されているＵＲＬの中から削除すべきＵＲＬの指定を受け付ける。その後、ＣＰＵ２０１１は、処理をステップＳ１０９に移す。
【００６９】
ステップＳ１０９において、ＣＰＵ２０１１は、削除要求をページ登録装置２０に送信する。より具体的には、ＣＰＵ２０１１は、受け付けた削除すべきＵＲＬを、シーケンス番号と共にページ登録装置２０に送信し、削除要求をする。その後、ＣＰＵ２０１１は、処理をステップＳ１１０に移す。
【００７０】
ステップＳ１１０において、ＣＰＵ２０１１は、ウェブページのＵＲＬの登録を要求する。より具体的には、ＣＰＵ２０１１は、ステップＳ１０３で送信した、ユーザＩＤ、シリアル番号、及びウェブページのＵＲＬの登録要求と、ステップＳ１０４で受信したウェブページのメタタグが示す情報の登録要求とを送信する。その後、ＣＰＵ２０１１は、処理を終了する。
【００７１】
図６は、本発明の一実施形態に係る端末装置１０のページ要求の処理内容を示すフローチャートである。なお、本処理は、例えば、プログラム開始指令を受け付けて開始し、プログラムの終了により終了する。
【００７２】
ステップＳ２０１において、ＣＰＵ２０１１は、有体物ＩＤを読み取る。より具体的には、ＣＰＵ２０１１は、カメラ部２５００によって撮像された二次元バーコードに含まれる文字や記号等を認識し、例えば、シリアル番号を読み出し、記憶する。その後、ＣＰＵ２０１１は、処理をステップＳ２０２に移す。
【００７３】
ステップＳ２０２において、ＣＰＵ２０１１は、ウェブページのＵＲＬの送信をページ登録装置２０に要求する。より具体的には、ＣＰＵ２０１１は、ステップＳ２０１で記憶したシリアル番号と、予め記憶しているユーザＩＤとをページ登録装置２０に送信し、ウェブページのＵＲＬの送信を要求する。その後、ＣＰＵ２０１１は、処理をステップＳ２０３に移す。
【００７４】
ステップＳ２０３において、ＣＰＵ２０１１は、要求したウェブページのＵＲＬをページ登録装置２０から受信する。より具体的には、ＣＰＵ２０１１は、送信したシリアル番号及びユーザＩＤに関連付けられたウェブページのＵＲＬを、ページ登録装置２０から受信する。その後、ＣＰＵ２０１１は、処理をステップＳ２０４に移す。
【００７５】
ステップＳ２０４において、ＣＰＵ２０１１は、受信したウェブページを表示する。より具体的には、ＣＰＵ２０１１は、受信したウェブページのＵＲＬによって、リダイレクト先であるＵＲＬのサーバに対してリクエストし、ＵＲＬのサーバからレスポンスを受信して、ＵＲＬが示すウェブページを表示部２０１４に表示する。その後、ＣＰＵ２０１１は、処理を終了する。
【００７６】
図７は、本発明の一実施形態に係る端末装置１０の有体物ＩＤの利用の一例を示す図である。
【００７７】
図７（１）の例は、有体物ＩＤであるシーケンス番号を、付箋１１１に付した状態を示す例である。シーケンス番号は、二次元バーコード１２１にコード化されて、付箋１１１に印刷され、ユーザが視認可能な様に印刷されている（例えば、シリアル番号の１２３４）。
【００７８】
図７（２）の例は、有体物ＩＤであるシーケンス番号を付した付箋１１１を利用して、ノート１０１に記載した情報１０２と、ウェブページとを結びつけるために付箋１１１をノート１０１に貼付したことを示す例である。同様に、ノート１０１に記載した情報と、ウェブページとを結びつけるために付箋１１２をノート１０１に貼付したことを示す例である。
【００７９】
図８は、本発明の一実施形態に係る端末装置１０の有体物ＩＤの別の利用の一例を示す図である。
【００８０】
図８の例は、有体物ＩＤであるシーケンス番号を二次元バーコード１２４化し印刷したノート１０１を利用して、ノート１０１に記載した情報１２２と、ウェブページとを結びつけていることを示す例である。情報１２２に二次元バーコードを対応付けていることをユーザが書き込んだ矢印１２３が示している。
【００８１】
図９は、本発明の一実施形態に係る端末装置１０の表示例を示す図である。
【００８２】
図９の例は、端末装置１０が付箋１１１に付されたシーケンス番号（例えば、１２３４）を読み取り、読み取ったシーケンス番号（例えば、１２３４）及びユーザＩＤ（例えば、ＡＢＣ）をページ登録装置２０に送信し、ページ登録装置２０が登録ページＤＢ３１に基づいて、シーケンス番号及びユーザＩＤに関連付けられたウェブページのＵＲＬ（例えば、ｈｔｔｐ：／／ｘｙｚ）を端末装置１０に送信し、受信した端末装置１０が、ウェブページのＵＲＬによってリダイレクトした結果、ウェブページ（例えば、二次元コードの説明）を表示していることを示す例である。
【００８３】
図１０は、本発明の一実施形態に係る端末装置１０の別の表示例を示す図である。
【００８４】
図１０の例は、端末装置１０が既登録のウェブページのＵＲＬの削除を受け付けていることを示す例である。
【００８５】
図１０の例は、端末装置１０の表示部２０１４において、コード表示欄２５１にシーケンス番号（例えば、１２３４）を表示し、ＵＲＬ欄２５２に指定されたウェブページのＵＲＬ（例えば、ｈｔｔｐ：／／ｐｑｒｘｙｚ）を表示し、メモ欄２５３にウェブページのメタタグ（例えば、○のすべて）を表示し、既登録欄２５４に既登録のウェブページのメタタグを表示していることを示している。そして、削除ボタン２６２によって既登録のウェブページのＵＲＬの登録を削除することを、受け付けていることを示している。更に、登録ボタン２６１によりシーケンス番号とユーザＩＤに関連付けてウェブページのＵＲＬ及びメタタグを登録要求することを、受け付けていることを示している。
【００８６】
実施例によれば、端末装置１０は、有体物（例えば、付箋やノート等）に付され、ユーザが視認可能な有体物ＩＤをユーザから指定され、ユーザＩＤ及び指定された有体物ＩＤに対して、登録要求を受け付けたウェブページのＵＲＬを関連付けて登録するためにページ登録装置２０に送信する。そして、端末装置１０は、有体物（例えば、付箋やノート等）に付された二次元バーコードを撮像して有体物ＩＤを読み出し、ユーザＩＤ及び読み出した有体物ＩＤをページ登録装置２０に送信してウェブページの送信を要求し、ページ登録装置２０からウェブページのＵＲＬを受信してウェブページを表示する。したがって、端末装置１０は、ユーザによって用いられる、有体物ＩＤが付された有体物（例えば、付箋やノート等）によって、現実の物や情報に、コンピュータネットワーク上の情報を実際に結び付けることができる。
【００８７】
更に、端末装置１０は、ウェブページのメタタグが示す情報をページ登録装置２０から受信して表示し、ユーザＩＤ及び指定された有体物ＩＤに対して関連付けたウェブページのＵＲＬに、メタタグが示す情報を更に関連付けて登録する。そして、端末装置１０は、ユーザＩＤ及び有体物ＩＤに関連付けて登録された既存のウェブページのＵＲＬが存在する場合に、当該ウェブページのＵＲＬ或いはメタタグが示す情報をページ登録装置２０から受信して表示し、ユーザから当該既存のウェブページの削除要求を受け付け、削除要求を受け付けた当該既存のウェブページのＵＲＬの登録を削除する。したがって、既存のウェブページのＵＲＬの登録を削除できるので、例えば不要となった登録を削除することにより、有限である有体物ＩＤであっても重複することなく、ウェブページのＵＲＬと有体物ＩＤとを関連付けて登録することができる。
【００８８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００８９】
１０  端末装置
１１  ページ登録要求受付部
１２  ページ登録要求送信部
１３  ページ表示要求受付部
１４  ページ送信要求送信部
１５  表示部
１６  撮像部
２０  ページ登録装置
２１  ページ情報登録部
２２  ページ情報要求受付部
２３  ページ情報送信部
３１  登録ページＤＢ
【図１】
2011013918.tif 000003
【図２】
2011013918.tif 000004
【図３】
2011013918.tif 000005
【図４】
2011013918.tif 000006
【図５】
2011013918.tif 000007
【図６】
2011013918.tif 000008
【図７】
2011013918.tif 000009
【図８】
2011013918.tif 000010
【図９】
2011013918.tif 000011
【図１０】
2011013918.tif 000012